(57)【要約】【課題】  便器の便座に腰を掛けての排尿中に的外れな放尿の結果、便座の前方部裏面と便器本体の上端面との間の隙間（５ｍｍ〜１５ｍｍ）から便器外へ排尿の流出するのを防止する。【解決手段】  前述の当該隙間（５ｍｍ〜１５ｍｍ）からの排尿流出の防止手段として、当該便座の前方部裏面に排尿流出防止装置、又排尿流出防止板を装着して便座前方部裏面の当該隙間を塞いだ便座を提供する。【選択図】  図３
2006346401.tif 000002
【特許請求の範囲】
【請求項１】
腰掛用の便座前方部裏面下の隙間からの排尿の飛散流出を防ぐ為の排尿流出防止装置を便座前方部裏面上に装着した便座。
【請求項２】
腰掛式の便器の便座前方部裏面上へ装着する為のゴム質製、又はゴム様の弾力性を有するプラスチック製の排尿流出防止板、又は防止体。
【発明の詳細な説明】
【技術分野】
【０００１】便器の前方部における便座と便器本体との間に幅５ｍｍ〜１５ｍｍの隙間を有する洋式便器に腰を掛けての排便中において、排尿の飛散による便器の外部への尿の流出を体験することがあった。そこで、便座の前方部裏面における前述の５ｍｍ〜１５ｍｍの隙間を塞ぐために、弾力性を有するゴム製、又はゴム様の弾力を有するプラスチック製の排尿流出防止装置を、便座の前方部裏面に装着した便座に関するものである。
【背景技術】
【０００２】従来の和式便器には、大小便の排便中での排尿による便器外への飛散流出防止を考慮して、便器の前方上側に半ドーム型の排尿流出防止装置を設けてある。片や、洋式便器では、腰を掛けての排尿中に便座の裏面前方下部の隙間からの便器外への尿の飛散を防止する装置は、現在のところ装着されていない為に便座に腰を掛けての排尿中に、時として当該隙間から外部への流出によって衣服や肌に尿が掛ったりする場合があって、不愉快な思いをしたことが今までに少なからずあった。
【発明の開示】
【発明が解決しようとする課題】
【０００３】便座に腰を掛けての排尿中において、見当はずれの尿の飛散によって、便座前方部裏面と便器本体の前方上端面との隙間（５ｍｍ〜１５ｍｍ）から、時には便器外部への尿の流出を見るという問題点があった。そこで、現在使用中、又は市販されている洋式便器の便座前方部裏面に、排尿中での便器外への排尿飛散防止をする為の装置を設けることによって、便座に腰を掛けての排尿の結果が衛生的、且つ便器直下の床面を汚すことも無くして、快適な排便ができるようにする。
【課題を解決するための手段】
【０００４】前述のような便器外流出を防止する為に洋式便器の便座前方部裏面に、排尿流出防止装置としての半円柱型のゴム質帯、又は角柱型のゴム質帯、又は断面がＬ字型（アングル型）のゴム質帯を円弧形、又は折線形に装着して、使用中は当該隙間を堅く塞ぐことにより、便器外への排尿流出を防止する。
【発明の効果】
【０００５】当該装置を装着しての使用により、洋式便器の便座前方部裏面側の隙間から便器外への排尿流出を防ぐことができる。その結果、便器自体が衛生的となり、且つ便器直下の床面をも汚すことが無くなり、便所の便器環境が快適なものになる。従って、快便につながる故に生活そのものも少なからず快適なものになるという利点もある。
又、便所掃除の時にも効率が能く、且つ便器の掃除に対する抵抗も少なくなり気軽に作業ができるようになる。快便無くして快眠、快食無しであるという因果関係上からも、生活空間の大切な部分としての便所環境をよくすることに役立つのである。
【発明を実施するための最良の形態】
【０００６】  以下、本発明の実施の形態を説明する。
（イ）  蓋（１）付きの便器本体（３）の便座（２）の前方部裏面（２’）に装着する排尿流出防止装置（４）の内の一つ（図３、図４の場合）は、加圧の際に密着を必要とする弾力性を有するゴム質の半円柱型、又は角柱型、又はＬ字型（アングル型）の帯状のものから成る。当該排尿流出防止装置（４）の形状は、当該半円柱の横断面の半径が、汚れ防止用突起（５）の高さよりも３〜５ｍｍ程高く、又、当該角柱又はＬ字型の横断面の高さも汚れ防止用突起（５）の高さよりも３〜５ｍｍ程高い帯状のもので、その底面部（４”）は接着剤（７）で強く固定されていて、然も円弧形、又は湾曲状の折線形でその両端（４’）は、汚れ防止用突起（５）に接着剤（７）で強く固定されている場合（図３の場合）か、又は当該突起（５）に接した状態で両先端（４’）が、図７のように便座（２）の前方部裏面（２’）の内側周縁（１２’）に達していて、固く固定されている場合の何れかである。
（ロ）  当該排尿流出防止装置（４）の位置は、便器本体（３）の上端面（６）の外周縁（６’）と内周縁（６”）との中間に位置する中心線よりやや内周縁（６”）寄りに位置していて、然も、当該排尿流出防止装置（４）は汚れ防止用突起（５）よりも３〜５ｍｍ程出っ張っており、且つゴム質の弾力性を有する為に、便座（２）を便器本体（３）の上端面（６）上に下げ置いたとき、排尿流出防止装置（４）が上端面（６）に密着するようになっている。従って、便座（２）に腰を掛けると尚一層の加重によって上端面（６）と便座（２）の前方部裏面（２’）との隙間が強く塞がれて、当該隙間から排尿が便器本体（３）の外部に流出しないような位置と状態で装着してある。
（ハ）  当該排尿流出防止装置（４）の底面部（４”）を、便座（２）の前方部裏面上（２’）の所定の位置への装着方法として、接着剤（７）を用いて半永久的に固着せしめる場合と表裏両用の接着テ−プ（７）を用いて必要に応じて更新の際に着脱できるようにする場合とがある。試作品としてはＬ字型（アングル型）のゴム質で帯状のものをその底面部（４”）に表裏両用の接着テ−プ（７）を用いて接着して使用している。従って便器本体（３）の形状や便座（２）の前方部裏面（２’）の形状や使用事情によって、どのような接着法で装着するかが決まる。
（ニ）  当該排尿流出防止装置（４）の形状には、半円柱型のものと角柱型、又はＬ字型（アングル型）のものとがあることは前述したが、半円柱型のものだと便器を拭く掃除の際に拭き易く、又、見当はずれの排尿が直接に当該排尿流出防止装置（４）に当たった時には、曲面への当たり抵抗が小さくて尿の跳ね返りが軽減されるが、他方、角柱型やＬ字型（アングル型）のものは、平面への当たり抵抗は半円柱型に比べて小さくない為に尿の跳ね返りが曲面の場合よりもやや多くなることがあっても、それは殆んど問題に成らない程度である。
（ホ）  次に、当該排尿流出防止装置（４）として、図５、図６、図７、図８のようなゴム状の板状プラスチック、又はゴム質板から成る排尿流出防止板（８）の場合についても説明する。
当該流出防止板（８）の形状は、便座（２）の内周縁（１２’）の形状に従って決まる。又、その構造や位置は、便座（２）の前方部の当該内周縁（１２’）に沿って当該流出防止板（８）の折目部分（１１）が合致するように接着部（９）を、便座前方部裏面（２’）上に接着すると図７、図８のような位置と構造で装着される。先ずは、当該防止版（８）の形状の作成について述べると、図６のように厚紙、又は屈曲性に富む薄いプラスチック板、又は金属板製の斜円筒（Ｐ）において、ＡＡ’、ＢＢ’は便座の前方正面方向と一致していて互いに平行に対応している長径である。又、上底面（ｆ）は軸（ｌ）に対して長軸方向において４５度を成し、且つ水平である。更に、上底面（ｆ）と中底面（ｇ）と下底面（ｈ）とは互いに平行、且つ水平の状態にある。つまり、底面（ｆ）、（ｇ）、（ｈ）は便座の裏面（２’）に平行、且つ長径のＡＡ’、ＢＢ’の方向と便座（２）の前方正面方向とは一致している。
（ト）  当該流出防止板（８）を作成するには、図６における底面（ｇ）とＡＢとのなす角度を４５度にし、便座の裏面の内周縁（１２’）の形状や隙間の程度に応じて形状を決める。当該隙間が５ｍｍ〜１５ｍｍの場合は、ＡＢの長さが１５〜３０ｍｍの排尿流出防止板（図５の８）と合同な形取り定規を、薄くて屈曲性に富む硬質のプラスチック板で造っておき然る後に、当該形取り定規（図５のような定規）を排尿流出防止板（８）を作製する素材のゴム質板（厚さ３〜４ｍｍ）、又はゴム状の弾力性を有するプラスチック板（厚さ２〜３ｍｍ）に押し当てて排尿流出防止板（８）の形取り線を施してから、当該の形状を切り取り出来上がったものを、便座前方部裏面（２’）の当該定位置に接着部（９）を接着剤（７）で強固に装着すれば当該排尿流出防止装置（４）の完成となる。
更に、図５のように排尿流出防止板（８）の折目（１１）に沿って連続して形成されている多数の波形の半円形部を接着部（９）として設けてある。この多数の波形部（９）は、湾曲形に曲げるときに一様に曲がるようにするためであり、且つ外観をも良くするためである。
（ヘ）  上述の排尿流出防止板（８）を便座（２）の前方部裏面（２’）に装着する位置は、図７に示すように折目（１１）が便座（２）の内周縁（１２’）に沿って一致するように強固に接着剤（７）で装着する。
この場合、当該排尿流出防止板（８）の母線ＡＢと便座前方部裏面（２’）とのなす角度は４５になるように装着する。つまり、図６の底面（ｇ）とＡＢとのなす角度（図６の∠ＡＢＢ”に相当）を、便座（２）の形状に合わせて４５度になるような斜円筒（Ｐ）を、薄い金属板、又は薄いプラスチック板、又は厚紙で予め作成しておいて、当該斜円筒（Ｐ）からＡＢの長さや点Ａから底面（ｇ）に到る高さや波形の接着部（９）等を計測し考慮して排尿流出防止板（８）の形状を決定する。
しかし、上述の排尿流出防止板（８）の作成は、射出成型により排尿流出防止板（８）を作成してもよい。又、当該防止板（８）をゴム質の弾力性を有するプラスチック板からプレス機で打ち抜いて作成してもよい。
【図面の簡単な説明】
【０００７】
【図１】  洋式便器全体の見取図である。
【図２】  便座の見取図である。
【図３】  本発明に関する便座の裏面の平面図である。
【図４】  図３におけるＣ−Ｃ断面図である。
【図５】  便座の前方部裏面に装着する尿流出防止板の平面図である。この図形は、図６の斜円柱の下方部を平面で切断してできる立体の曲面部の図形に合同なものに接着部（９）を追加付随したものである。
【図６】  平面で斜円柱の下方部を切断してできる立体図形の見取図である。
【図７】  本発明に関する便座の裏面の平面図である。
【図８】  図７におけるＤ−Ｄ断面図である。
【符号の説明】
１      便器の蓋
２      便座
２’    便座前方部裏面
３      便器本体
４      本発明の排尿流出防止装置
４’    本発明の排尿流出防止帯の両先端
４”    本発明の排尿流出防止帯の底面部
５      便座の裏面に数個設けてある前方部の汚れ防止用突起
５’    便座の裏面に数個設けてある後方部の汚れ防止用突起
６      便器本体の上端面
６’    便器本体の上端面の外周縁
６’’  便器本体の上端面の内周縁
７      接着剤
８      本発明の一つとしての排尿流出防止板
９      排尿流出防止板における波形の接着部
１０      本発明の排尿流出防止板の円弧部
１１      本発明の排尿流出防止板の折目
１２      便座裏面の外周縁
１２’    便座裏面の内周縁
ｇ      斜円筒の中底面
ｈ      斜円筒の下底面
ｌ      斜円筒の軸
【図１】
2006346401.tif 000003
【図２】
2006346401.tif 000004
【図３】
2006346401.tif 000005
【図４】
2006346401.tif 000006
【図５】
2006346401.tif 000007
【図６】
2006346401.tif 000008
【図７】
2006346401.tif 000009
【図８】
2006346401.tif 000010